(57)【特許請求の範囲】
【請求項１】
濾布をリテーナに装着して使用するようにした濾布構造体において、前記濾布の長さを、前記リテーナの濾布装着部の長さよりも短く形成し、前記濾布の長さと前記リテーナの長さとの差によって前記濾布を伸長させることにより前記濾布に軸方向の張力を付与した状態で、前記濾布を前記リテーナの濾布装着部に装着するようにしたことを特徴とする濾布構造体。
【請求項２】
濾布の長さを、リテーナの濾布装着部の長さの９０〜９９％に形成してなることを特徴とする請求項１記載の濾布構造体。
【請求項３】
濾布の直径を、リテーナの濾布装着部の直径の１００〜１２０％に形成してなることを特徴とする請求項１又は２記載の濾布構造体。
【請求項４】
前記濾布が、織布からなる基布層と、不織布からなるフィルタ層とを積層して構成され、かつ、基布層を構成する織布の経糸が、濾布の筒軸方向に対して斜めに交差するように形成されてなることを特徴とする請求項１、２又は３記載の濾布構造体。
【請求項５】
前記濾布が、濾布原反を斜めに裁断した短冊状の布片を、その長手方向に延びる側縁同士を接合して筒状に形成したものからなることを特徴とする請求項４記載の濾布構造体。
【請求項６】
濾布をリテーナに装着して使用するようにした濾布構造体において、前記濾布の長さを、リテーナの濾布装着部の長さよりも短く形成し、前記濾布を伸長させた状態でリテーナの濾布装着部に装着するようにし、
前記濾布が、織布からなる基布層と、不織布からなるフィルタ層とを積層して構成され、かつ、濾布の軸方向と一致する基布層を構成する織布の経糸が、伸縮性を有するものからなることを特徴とする濾布構造体。
【請求項７】
前記濾布が、有底筒状に形成されてなることを特徴とする請求項１、２、３、４、５又は６記載の濾布構造体。
【発明の詳細な説明】
【技術分野】
【０００１】
本発明は、集塵機等に使用される濾布構造体に関するものである。
【背景技術】
【０００２】
従来、集塵機等に使用される濾布として、織布からなる基布層と、該基布層の少なくとも濾過表面側に結合された不織布からなるフィルタ層とを積層して構成された濾布原反を、筒状に形成し、該濾布の濾過表面側から濾過裏面側に含塵空気を通過させて濾過を行い、かつ、濾布の濾過裏面側から濾過表面側に逆流気流を通過させて、捕集された塵埃の払い落としを行うようにしたものが汎用されている（例えば、特許文献１参照。）。
【０００３】
ところで、この濾布は、織布からなる基布層と、不織布からなるフィルタ層とを積層して構成された濾布原反を、そのまま使用し、その長手方向に延びる側縁同士を接合して筒状に形成する関係上、基布層の織布が、経糸及び緯糸を織成して形成されているが、その経糸の方向が、筒状に形成された濾布の筒軸方向に対して平行となり、緯糸の方向が、筒軸方向に対し直交したものからなるのが一般的であった。
【０００４】
そして、この濾布を装着した集塵機を運転し、含塵空気を濾布の濾過表面側から濾過裏面側に通過させることによって、塵埃を濾布に捉えるようにするが、集塵機の運転によって濾布の濾過表面側に捕集した塵埃が付着すると、濾布がそのフィルタ層にて目詰まりを起こして圧力損失が増加する。
【０００５】
この場合、濾布のフィルタ層に付着した塵埃の払い落としを行い、圧力損失が低い状態に戻す必要がある。そこで、濾布の濾過裏面側から濾過表面側に逆流気流を通過させることによって濾布の再生を行う機能を備えた集塵機が利用されている（例えば、特許文献２参照。）。
【０００６】
しかしながら、従来の濾布は、経糸の方向が、筒状に形成された濾布の筒軸方向に対して平行となり、緯糸の方向が、筒軸方向に対し直交したものからなるため、濾布を振動又は伸縮させたとしても、フィルタ層の面方向（筒周方向）への変位は緯糸によって制限されるため、フィルタ層を面方向（筒周方向）に積極的に伸縮するような作用が働かなかった。すなわち、濾布の濾過表面側（筒径方向側）へは積極的に変位可能な構成とはなっていなかった。
【０００７】
また、このような濾布を、集塵機に使用した場合、逆流気流の通過によって濾布の濾過表面に捕集された塵埃を払い落すことはできるものの、上述の如くフィルタ層を面方向に積極的に伸縮するような作用が働かないため、濾布の内部に入り込んだ塵埃を効率よく払い落すことは困難であった。
【０００８】
そして、上記のような集塵機では、濾布の内部に入り込んだ塵埃の払い落とし効率を向上することができないことにより、濾布による平均圧力損失が徐々に大きくなり、逆流気流の圧力を増加させたり払い落としの回数を増加させる必要等が生じて、省エネルギ化や濾布の寿命の向上を実現できないものとなっていた。
【０００９】
一方、上記問題点を解消するものとして、本件出願人は、先に、例えば、図９に示すように、基布層２０が帯状に織られた織布を螺旋状に巻いて筒状に形成して縫合することにより形成され、基布層２０の織布を構成する経糸と緯糸との一方及び他方が、筒状に形成された濾布Ｆの筒軸方向Ｘ及び筒周方向Ｙに対して傾斜して配設されている筒状に形成された濾布Ｆからなる濾布Ｆを提案した（特許文献３参照。）。
【先行技術文献】
【特許文献】
【００１０】
【特許文献１】特開平５−２６９３２０号公報
【特許文献２】特開２００８−２７９４０５号公報
【特許文献３】特開２００９−２５３２９４号公報
【発明の概要】
【発明が解決しようとする課題】
【００１１】
この特許文献３に記載の濾布Ｆは、フィルタ層の面方向（筒周方向）への変位は経糸と緯糸との一方又は他方のいずれによっても制限されず、結果的に濾布Ｆの濾過表面側（筒径方向側）への変位が制限されない（すなわち、ある程度の変位が許容される）状態となる。この場合、濾布Ｆの濾過表面側への変位に伴って濾布Ｆの基布層における経糸と緯糸との交差角度は比較的大きく変化可能となる。
この経糸と緯糸との交差角度の変化により、基布層の少なくとも濾過表面側に結合されている不織布からなるフィルタ層の面方向の伸縮は、大きく発生することとなる。
そして、フィルタ層は微細繊維が絡み合って形成される不織布により構成されているので、フィルタ層の面方向の伸縮は該微細繊維同士の隙間の形状を全面に亘って変化させることとなる。
したがって、不織布からなるフィルタ層に捕集された塵埃は、凝集が抑制されつつ適度に分散及び解砕され、フィルタ層から容易に離脱可能となる。
よって、塵埃の払い落とし効率を向上して、濾布Ｆの平均圧力損失の低減による省エネルギ化や濾布の寿命の向上を実現できる濾布Ｆが得られるという利点を有するものであった。
【００１２】
しかしながら、この特許文献３に記載の濾布Ｆは、基布層２０が、帯状に織られた織布を螺旋状に巻いて筒状に形成して縫合することにより構成されていることから、この濾布Ｆをリテーナに装着して使用するようにした濾布構造体において、濾布Ｆの筒軸方向Ｘの長さを確固に拘束するものがないため、使用しているうちに濾布Ｆが自重等によってその筒軸方向Ｘに伸びてリテーナの下端から垂れ下がることとなる。
そして、当該垂れ下がった部分においては、特段の対処をしないと、濾布Ｆの張力がなくなり、捕集された塵埃の払い落とし効率が低下し、これに伴って濾布Ｆの濾過機能が低下するとともに、当該垂れ下がった部分に応力が集中して損傷が生じやすく、濾布Ｆの省エネルギ化や濾布Ｆの寿命の向上の支障となることがあった。
【００１３】
本発明は、上記従来の濾布の有する問題点に鑑み、濾布の再生時における塵埃の払い落とし効率を向上して、濾布の平均圧力損失の低減による省エネルギ化や濾布の寿命の向上を実現することができるようにした濾布構造体を提供することを目的とする。
【課題を解決するための手段】
【００１４】
上記目的を達成するため、本発明の濾布構造体は、濾布をリテーナに装着して使用するようにした濾布構造体において、濾布の長さを、リテーナの濾布装着部の長さよりも短く形成し、該濾布を伸長させた状態でリテーナの濾布装着部に装着するようにしたことを特徴とする。
【００１５】
この場合において、濾布の長さを、リテーナの濾布装着部の長さの９０〜９９％に形成することができる。
【００１６】
また、濾布の直径を、リテーナの濾布装着部の直径の１００〜１２０％に形成することができる。
【００１７】
また、前記濾布が、織布からなる基布層と、不織布からなるフィルタ層とを積層して構成され、かつ、基布層を構成する織布の経糸が、濾布の筒軸方向に対して斜めに交差するように形成されるようにすることができる。
【００１８】
また、前記濾布が、濾布原反を斜めに裁断した短冊状の布片を、その長手方向に延びる側縁同士を接合して筒状に形成したものとすることができる。
【００１９】
また、前記濾布が、織布からなる基布層と、不織布からなるフィルタ層とを積層して構成され、かつ、濾布の軸方向と一致する基布層を構成する織布の経糸が、伸縮性を有するものとすることができる。
【００２０】
また、前記濾布を、有底筒状に形成することができる。
【発明の効果】
【００２１】
本発明の濾布構造体によれば、濾布の長さを、リテーナの濾布装着部の長さよりも短く形成し、該濾布を伸長させた状態でリテーナの濾布装着部に装着するようにすることにより、リテーナの濾布装着部に装着された濾布に、濾布自体による筒軸方向の張力が付与されることになるため、使用しているうちに濾布がその筒軸方向に伸びることによってリテーナの下端から垂れ下がることを未然に防止することができる。
これにより、錘体等の張力付与手段を設けなくても、濾布とリテーナとの間に隙間が生じることがなく、濾布に対して筒軸方向に張力を付与することができ、濾布の再生時における塵埃の払い落とし効率を向上して、濾布の平均圧力損失の低減による省エネルギ化を実現できるとともに、応力集中による濾布の損傷の発生を防止できることと相俟って、濾布の寿命の向上を実現することができる。
また、濾布の長さを、リテーナの濾布装着部の長さよりも短く形成することによって、濾布原反の使用量を低減することができる。
【００２２】
この場合において、濾布の長さを、リテーナの濾布装着部の長さの９０〜９９％に形成することにより、リテーナの濾布装着部に装着された濾布に、濾布自体による筒軸方向の適度の張力を付与することができる。
【００２３】
また、濾布の直径を、リテーナの濾布装着部の直径の１００〜１２０％に形成することにより、濾布を伸長させてリテーナの濾布装着部に装着する際の濾布のリテーナに対する接触抵抗を抑制でき、濾布のリテーナに対する装着作業を容易に行うことができる。
【００２４】
また、前記濾布が、織布からなる基布層と、不織布からなるフィルタ層とを積層して構成され、かつ、基布層を構成する織布の経糸が、濾布の筒軸方向に対して斜めに交差するように形成されるようにすることにより、濾布の再生時における塵埃の払い落とし効率を向上することができる。
【００２５】
また、前記濾布が、濾布原反を斜めに裁断した短冊状の布片を、その長手方向に延びる側縁同士を接合して筒状に形成したものとすることにより、濾布を、特殊な縫製装置や技術を要することなく、容易に製造することができる。
【００２６】
また、前記濾布が、織布からなる基布層と、不織布からなるフィルタ層とを積層して構成され、かつ、濾布の軸方向と一致する基布層を構成する織布の経糸が、伸縮性を有するものとすることにより、濾布を、特殊な縫製装置や技術を要することなく、容易に製造することができる。
【００２７】
また、前記濾布を、有底筒状に形成することにより、濾布をリテーナの濾布装着部に容易に装着することができる。
【図面の簡単な説明】
【００２８】
【図１】本発明の濾布構造体を適用した集塵機の全体構成図である。
【図２】リテーナに濾布を装着してなる濾布構造体を表す縦断面図である。
【図３】（ａ）及び（ｂ）は、濾布の基布層を表す平面図、（ｃ）は濾布の構造を表す断面図である。
【図４】リテーナに濾布を装着する方法を表す説明図である。
【図５】リテーナに装着される濾布の状態変化を表す説明図である。
【図６】リテーナに装着される濾布の状態変化を表す説明図である。
【図７】リテーナに装着される濾布の状態変化を表す説明図である。
【図８】濾布を筒状に形成するための方法を表す説明図である。
【図９】濾布を筒状に形成するための方法を表す説明図である。
【図１０】濾布を筒状に形成するための方法を表す説明図である。
【図１１】濾布の製造工程を示す説明図である。
【図１２】濾布の異なる製造工程を示す説明図である。
【図１３】濾布の異なる例を示す説明図である。
【発明を実施するための形態】
【００２９】
以下、本発明の濾布構造体の実施の形態を、図面に基づいて説明する。
【００３０】
図１〜図２に、本発明の濾布構造体を適用した集塵機を示す。
この集塵機は、筐体２の内部を区画壁３によって含塵空気導入室４（ダーティ側とも称する。）と浄化空気室５（クリーン側とも称する。）とに区画して形成されている。
【００３１】
含塵空気導入室４は、下部にテーパ状の落下塵埃受け部４ｂを備え、そのテーパ状の底部に落下塵埃排出口４ｃが設けられている。
また、含塵空気導入室４の側部には、含塵空気Ａを含塵空気導入室４に導入する含塵空気導入口４ａが設けられている。
【００３２】
浄化空気室５には吸引装置７を備えた浄化空気吸引管６が接続されている。
また、浄化空気室５の側壁を貫通する状態で、一端側を閉塞し他端側に高圧空気供給手段Ｂとしての圧縮空気タンクが接続された高圧空気導入管８が備えられている。
【００３３】
なお、前記圧縮空気タンクには、高圧空気を供給するコンプレッサが接続されている。
また、高圧空気導入管８の高圧空気供給手段Ｂ側には、高圧空気導入管８内への高圧空気の供給、停止を切換えるバルブ１１が備えられている。
【００３４】
高圧空気導入管８は、前記複数の開口部３ａの夫々の上部に対応する位置に、高圧空気噴出ノズル９を備えている。
そして、バルブ１１の開閉操作によって、高圧空気噴出ノズル９の夫々に逆流気流Ｈとしての高圧空気を送る状態と送らない状態とに切換えることができる。
【００３５】
なお、このバルブ１１には図示しない制御装置が接続されており、図示しない圧力検出部によって、含塵空気導入室４内の気体圧力と浄化空気室５内の気体圧力との差が設定値以上となった場合、すなわち、濾布Ｆに塵埃が付着して平均圧力損失が大きくなったときに、バルブ１１を一時的に開状態として高圧空気噴出ノズル９の夫々に高圧空気をパルス状に噴出するように構成されている。
【００３６】
次に、各濾布Ｆの構成及び開口部３ａに濾布Ｆを取り付ける構成について説明を加える。
【００３７】
［濾布の構成］
図３（ｃ）に示すように、濾布Ｆは、織布からなる基布層２０と、当該基布層２０の濾過表面側に結合された不織布からなるフィルタ層２１ａと、当該基布層２０の濾過裏面側に結合された不織布からなるフィルタ層２１ｂとを積層して構成され、この濾布Ｆを、上部が開口した有底筒状に形成して構成されている。
なお、濾布Ｆは、フィルタ層２１ａ及び２１ｂの一方又は両方を有さない織布から構成されたものでもよく、また、濾布Ｆが装着されるリテーナＣの形状等に合わせて、底部を有しない筒状に形成して構成されたものでもよく、これらを排除しない。
また、濾布Ｆの基布層２０やフィルタ層２１ａ及び２１ｂを構成する繊維素材には、濾布Ｆの用途に応じて、従来汎用されている、ポリエステル繊維、ポリアミド繊維、ポリイミド繊維、アラミド繊維、ポリプロピレン繊維等の合成繊維のほか、ガラス繊維等の無機繊維を用いることができ、また、織方も、濾布Ｆの用途に応じて、綾織、朱子織、フェルト、梨地織、二重織等を適用することができる。
【００３８】
具体的には、例えば、基布層２０は、図３（ａ）に示すように、自然状態において、経糸２０ａ及び緯糸２０ｂが直交し、かつ、目の詰まっていない、帯状に織られた織布にて構成されている。
そして、基布層２０とフィルタ層２１ａ及び２１ｂとがニードルパンチにより交絡結合されたフェルトタイプの濾布Ｆを構成するようにしている。
【００３９】
なお、基布層２０とフィルタ層２１ａ及び２１ｂとの結合については、交絡結合のほか熱融着による結合等、各種の結合方法が採用可能である。また、フィルタ層２１ａと２１ｂとのうち、基布層２０の濾過表面側のフィルタ層２１ａのみを備えるように構成することもできる。以下、フィルタ層２１ａと２１ｂとを纏めてフィルタ層２１と記載することがあるが、このように記載したときは、フィルタ層２１ａのみを備える構成、又はフィルタ層２１ａと２１ｂとの両方を備える構成の一方又は両方を示すこととする。
【００４０】
円筒状の濾布Ｆを製造するに当たり、フィルタ層２１を結合した基布層２０は、図８（ａ）及び図８（ｂ）に示すように、経糸２０ａ及び緯糸２０ｂが直交する状態に織られた帯状の織布を、その織布の各辺に対し傾斜する状態となる矩形に切り取り、その対辺ｎ、ｍを縫合する状態で筒状に形成されている。
このように構成することによって、基布層２０の織布を構成する経糸２０ａと緯糸２０ｂとの一方及び他方が、筒状に形成された濾布Ｆの筒周方向Ｙに対して傾斜して配設されるものとなる。
【００４１】
このほか、基布層２０は、図９（ａ）及び（ｂ）に示すように、経糸２０ａ及び緯糸２０ｂが直交する状態に織られた帯状の織布を螺旋状に巻いて筒状に形成し、辺ｍ、ｎを縫合して形成することができる。
【００４２】
なお、この場合においても、経糸２０ａ及び緯糸２０ｂが直交しない状態に織られた織布を使用して、経糸と緯糸との一方及び他方が、前記筒状に形成された濾布の筒周方向Ｙに対して傾斜するように螺旋形成することも可能である。
【００４３】
ここで、筒状に形成された濾布Ｆの基布層２０における経糸２０ａと緯糸２０ｂとの一方が筒状に形成された濾布の筒周方向Ｙに対して傾斜する傾斜角度（図３（ｂ）における角度α）は、１５度〜７５度（好ましくは、３０度〜６０度、より好ましくは、４０度〜５０度。以下、同様。）の範囲内となるように構成されている。
つまり、傾斜角度α（図３（ｂ）においては４５度に構成されている。）が１５度〜７５度の範囲内であることによって、筒状に形成された濾布Ｆがその濾過表面側（筒径方向側）に変位することに対して、経糸２０ａと緯糸２０ｂとの一方による変位の制限は少ないものとなり、その変位が基布層２０の経糸２０ａと緯糸２０ｂとの交差角度の変化に的確に寄与するものとなる。
そして、基布層２０の経糸２０ａと緯糸２０ｂとの交差角度の変化は、上述の如く不織布からなるフィルタ層２１の面方向（筒周方向Ｙ）の伸縮を発生させ、フィルタ層２１に捕集された塵埃は凝集が抑制されつつ適度に分散及び解砕され、不織布からなるフィルタ層２１から容易に離脱可能となる。
【００４４】
さらに、経糸２０ａと緯糸２０ｂとの他方が、筒状に形成された濾布Ｆの筒軸方向に対して傾斜する傾斜角度（図３（ｂ）における角度β）は、１５度〜７５度の範囲内となるように構成されている。
つまり、経糸２０ａと緯糸２０ｂとの他方が筒状に形成された濾布Ｆの筒軸方向に対して傾斜する傾斜角度が図３（ｂ）で示すように４５度であれば、筒状に形成された濾布Ｆの筒軸方向への伸縮が最も発生しやすいのであるが、この角度から偏差した範囲において、経糸２０ａと緯糸２０ｂとの他方が筒状に形成された濾布Ｆの筒軸方向に対して傾斜する傾斜角度が１５度〜７５度の範囲内であれば、筒状に形成された濾布Ｆの濾過表面側への変位又は筒状に形成された濾布の筒軸方向への伸縮をより確実に起こさせることができるものとなる。
したがって、その筒軸方向への伸縮が基布層２０の経糸２０ａと緯糸２０ｂとの交差角度の変化に的確に寄与し、基布層２０の経糸２０ａと緯糸２０ｂとの交差角度の変化は、上述の如く不織布からなるフィルタ層２１の面方向（筒周方向Ｙ）の伸縮を発生させるので、フィルタ層２１に捕集された塵埃は凝集が抑制されつつ適度に分散及び解砕され、不織布からなるフィルタ層２１から容易に離脱可能となる。
ここで、基布層２０の経糸２０ａと緯糸２０ｂとの交差角度は、３０度から１５０度の範囲となるように構成されている。
【００４５】
［濾布及びその取付構成］
次に、濾布Ｆを、集塵機１に取り付ける取付構成について説明する。
図２に示すように、濾布Ｆは、リテーナＣに装着された状態で開口部３ａに取り付けられるように構成されている。
リテーナＣは、直線棒状の支持バー５１と、該支持バー５１の長手方向に離間する状態で備える平面視円形の支持リング５２とを溶接して、空気が通流可能な円筒形の籠状に形成される。
【００４６】
なお、リテーナＣの一方側の端部には、区画壁３に設けられた開口部３ａの径よりも大径のフランジ部３ｆが設けられ、このフランジ部３ｆが該開口部３ａの周縁部分に載置支持される。また、区画壁３における開口部３ａの周縁部には、内径側に突出する凸部を備えた圧接保持部３ｂが含塵空気導入室４側に筒状に垂設されている。
【００４７】
濾布Ｆの取付状態において、リテーナＣのフランジ部３ｆの直下方には、拡径方向に付勢するように嵌めこまれたスナップリング３ｓが備えられ、該スナップリング３ｓが拡径して濾布Ｆをスナップリング３ｓと圧接保持部３ｂの凸部とで挟み込む状態で、内側から押さえつけることとなる。このようにして、濾布Ｆ及びリテーナＣは、開口部３ａに一体に固定される状態となる。
【００４８】
濾布ＦをリテーナＣに装着するに当たり、有底筒状に形成された濾布Ｆの底部には、必要に応じて、支持リング５２と略同径の円板状に形成された保形用底板５３が備えられる。
この保形用底板５３は、リテーナＣとは独立した部材であり、有底筒状に構成された濾布Ｆの底部によって載置支持されるようにするほか、リテーナＣと一体化して配設することもできる。
【００４９】
そして、ここでは、濾布Ｆを、図４に示すように、濾布Ｆの長さを、リテーナＣの濾布装着部の長さよりも短く形成し、濾布Ｆを伸長させた状態でリテーナＣの濾布装着部に装着するようにする。
これにより、リテーナＣの濾布装着部に装着された濾布Ｆに、濾布Ｆ自体による筒軸方向Ｘの張力が付与されることになるため、使用しているうちに濾布Ｆがその筒軸方向Ｘに伸びることによってリテーナＣの下端から垂れ下がることを未然に防止することができるようにしている。
これにより、錘体等の張力付与手段を設けなくても、濾布ＦとリテーナＣとの間に隙間が生じることがなく、濾布Ｆに対して筒軸方向Ｘに張力を付与することができ、濾布Ｆの再生時における塵埃の払い落とし効率を向上して、濾布Ｆの平均圧力損失の低減による省エネルギ化を実現できるとともに、応力集中による濾布Ｆの損傷の発生を防止できることと相俟って、濾布Ｆの寿命の向上を実現することができる。
また、濾布Ｆの長さを、リテーナＣの濾布装着部の長さよりも短く形成することによって、濾布原反の使用量を低減することができる。
なお、本実施例においては、リテーナＣは、濾布装着部の長さが不変の構造体で構成するようにしたが、濾布装着部の長さを可変に構成、具体的には、リテーナＣの直線棒状の支持バー５１を伸縮可能に構成し、濾布ＦをリテーナＣの濾布装着部に装着した後、リテーナＣの濾布装着部を伸長させることにより、リテーナＣの濾布装着部の長さが濾布Ｆの長さよりも長くなるようにして、濾布Ｆを伸長させた状態でリテーナＣの濾布装着部に装着するようにすることもできる。
【００５０】
この場合において、濾布Ｆの長さを、リテーナＣの濾布装着部の長さの９０〜９９％、好ましくは、９５〜９９％に形成するようにする。
これにより、リテーナＣの濾布装着部に装着された濾布Ｆに、濾布Ｆ自体による筒軸方向Ｘの適度の張力を付与することができる。
【００５１】
また、濾布Ｆの直径を、リテーナＣの濾布装着部の直径の１００〜１２０％、好ましくは、１００〜１１５％に形成するようにする。
これにより、濾布Ｆを伸長させてリテーナＣの濾布装着部に装着する際の濾布ＦのリテーナＣに対する接触抵抗を抑制でき、濾布ＦのリテーナＣに対する装着作業を容易に行うことができる。
【００５２】
［濾布の変形構成］
そして、この濾布を構成する濾布Ｆは、図１１（ａ）及び（ｂ）に示すように、織布からなる基布層と、不織布からなるフィルタ層とを積層して構成された濾布原反Ｆ２Ａを斜めに裁断した短冊状の布片（以下、「バイアス片」という。）Ｆ２を、図１１（ｄ）に示すように、その長手方向に延びる側縁同士を接合（接合箇所３１）して筒状に形成したものからなる。
【００５３】
この場合において、バイアス片Ｆ２は、濾布原反Ｆ２Ａの経糸２０ａ及び緯糸２０ｂに対して、それぞれ角度α１、α２をなすように濾布原反Ｆ２Ａを斜めに裁断して得るようにする。
ここで、角度α１、α２は、１５度〜７５度、好ましくは、３０度〜６０度、より好ましくは、４０度〜５０度程度に設定するようにする。
【００５４】
そして、バイアス片Ｆ２の長手方向の長さ寸法は、濾布原反Ｆ２Ａの幅方向の寸法によって制約を受けるため、長尺の濾布Ｆには、そのままでは対応できないことが多いことから、図１１（ｃ）に示すように、複数のバイアス片Ｆ２を長手方向に接合（接合箇所３２）し、濾布Ｆの長さに対応する位置で切断（切断箇所３５）するようにする。
これにより、長尺の濾布Ｆを含む種々の長さの濾布Ｆを、容易に製造することができる。
【００５５】
ところで、上記長手方向の接合は、バイアス片Ｆ２に裁断した後に行うほか、先ず、図１２（ａ）に示すように、複数の濾布原反Ｆ２Ａを幅方向に接合（接合箇所３３）することによって、幅方向の寸法を濾布Ｆの長さに対応した長さに設定した後、図１２（ｂ）に示すように、濾布原反Ｆ２Ａを一括して斜めに裁断することにより、複数のバイアス片Ｆ２が長手方向に接合（接合箇所３３）した状態とし、その後、図１１（ｄ）に示したように、その長手方向に延びる側縁同士を接合（接合箇所３１）して筒状に形成するようにすることもできる。
これにより、複数のバイアス片Ｆ２を長手方向に接合する作業を効率化することができる。
【００５６】
さらに、図１２（ａ）に示すように、複数の濾布原反Ｆ２Ａを幅方向に接合（接合箇所３３）したものから、濾布原反Ｆ２Ａを一括して斜めに裁断することにより、複数のバイアス片Ｆ２が長手方向に接合（接合箇所３３）した状態のものを切り出すに当たって出た端材Ｆ２Ａ’を、複数の濾布原反Ｆ２Ａを幅方向に接合したものの長さ方向の反対側の端縁に接合（接合箇所３４）することにより、端材Ｆ２Ａ’を利用することができ、歩留まりを改善することができる。
【００５７】
上記接合箇所３１、３２、３３、３４の接合方法としては、濾布原反Ｆ２Ａを構成する織布からなる基布層の材質、例えば、ポリエステル繊維、ガラス繊維等に応じて、縫合、溶着等の任意の接合方法を選択的に用いることができる。
【００５８】
ここで、上記溶着による接合方法は、特殊な縫製装置や技術を要することがないため、図１３に示すように、基布層が帯状に織られた織布Ｆ２０を螺旋状に巻いて筒状に形成して接合（接合箇所３６）することによって、基布層の織布Ｆ２０を構成する経糸と緯糸との一方及び他方が、筒状に形成された濾布Ｆの筒軸方向Ｘ及び筒周方向Ｙに対して傾斜して配設されている筒状に形成された濾布Ｆを、比較的容易に得ることができる。
【００５９】
このほか、濾布が、織布からなる基布層と、不織布からなるフィルタ層とを積層して構成され、かつ、濾布の軸方向と一致する基布層を構成する織布の経糸が、伸縮性を有するものからなるようにすることもできる。
より具体的には、例えば、図１０（ａ）及び図１０（ｂ）に示すように、伸縮性を有するものからなる経糸２０ａが筒状に形成された濾布Ｆの筒軸方向Ｘに配設され、緯糸２０ｂが筒状に形成された濾布Ｆの筒周方向Ｙに傾斜して配設される、つまり、経糸と緯糸との他方が、筒状に形成された濾布の筒軸方向に配設されるように構成することができる。
これにより、濾布を、特殊な縫製装置や技術を要することなく、容易に製造することができる。
【００６０】
［集塵機の運転］
次に、図５〜図７に基づいて、上記のように構成される濾布Ｆを備えた集塵機１の運転について説明する。
図５（ａ）は、集塵機１の運転を停止している状態（運転停止状態と称する）における、濾布Ｆの状態を表している。図５（ｂ）は、運転停止状態における基布層２０の経糸２０ａ及び緯糸２０ｂの状態を表す模式図である。この図においては、経糸２０ａと緯糸２０ｂとは略直交しているが、実際は濾布Ｆの自重等により若干前記筒状に形成される濾布Ｆの筒軸方向に引き伸ばされ、経糸２０ａと前記筒状に形成される濾布Ｆの筒軸方向Ｘとがなす角βは、やや小さくなる状態となっている。
【００６１】
図６（ａ）は、集塵機１を運転して濾過を行っている状態（濾過運転状態と称する）である。濾過運転状態においては、濾布Ｆの濾過表面側から濾過裏面側に向けて含塵空気Ａを通過させて濾布Ｆの濾過表面に塵埃を捕集する。
このとき濾布Ｆは、図６（ａ）に示すように、濾過裏面側（リテーナＣの内方側）に変位している。
そして、図６（ｂ）に示すように、経糸２０ａ同士の間の距離が小さくなって、経糸２０ａ前記筒状に形成される濾布Ｆの筒軸方向Ｘとがなす角βは、やや小さくなる状態となっている。
【００６２】
図７（ａ）は、集塵機１の運転状態における、濾布Ｆの濾過表面に付着した塵埃の払い落としを行っている状態（払い落とし状態と称する）である。
払い落とし状態においては、濾布Ｆの濾過表面側から濾過裏面側に含塵空気Ａを通過させて濾過を行いながら、逆流気流Ｈとしての高圧空気を一時的に噴射して捕集された塵埃の払い落としを行う（所謂パルスジェット方式）ように構成されている。
すなわち、濾布Ｆの筒内方から筒外方に向かう逆流気流Ｈとしての高圧の空気流が、濾布Ｆの筒状に形成された濾布Ｆを、その濾過表面側（つまり径が大きくなる側）に向かって大きく変位させることによって、図７（ｂ）に示すように、経糸２０ａと筒状に形成された濾布Ｆの筒軸方向Ｘとがなす角度βが大きくなる。
【００６３】
また、高圧空気は例えば一定時間間隔で繰り返し噴出するため、濾布Ｆの濾布は濾過表面側に変位する状態と元の状態とを繰り返すこととなり、これによって前記角度α及びβも間欠的に変化し、さらにフィルタ層２１の面方向の伸縮をも間欠的に生じることとなるため、フィルタ層２１に捕集された塵埃は、凝集が抑制されつつ適度に分散及び解砕されることになる。
【００６４】
なお、上記の構成において、濾布Ｆの濾過表面側への変位は、濾布Ｆの筒状の筒軸方向Ｘにおける収縮方向の力に変換される。
したがって、濾布Ｆの筒軸方向Ｘに向けた張力を、濾布Ｆの外方への膨張による収縮方向の力とバランスさせることによって、濾布Ｆの濾過表面側への変位と筒軸方向Ｘへの伸縮とが良好に振動状態で現れ、経糸２０ａと緯糸２０ｂとの交差角度の変化が振動状態で現れることとなり、フィルタ層２１に捕集された塵埃は、凝集が一層抑制されつつ適度に分散及び解砕されることになる。
【００６５】
以上、本発明の濾布構造体について、その実施例に基づいて説明したが、本発明は上記実施例に記載した構成に限定されるものではなく、その趣旨を逸脱しない範囲において適宜その構成を変更することができるものである。
【産業上の利用可能性】
【００６６】
本発明の濾布構造体は、濾布の再生時における塵埃の払い落とし効率を向上して、濾布の平均圧力損失の低減による省エネルギ化や濾布の寿命の向上を実現することができるという特性を有していることから、集塵機に使用される濾布構造体の用途に好適に用いることができるほか、各種機器に使用される濾布構造体の用途にも用いることができる。
【符号の説明】
【００６７】
Ｃ  リテーナ
Ｆ  濾布
Ｘ  濾布の筒軸方向
Ｙ  濾布の筒周方向
１  集塵機
２０  基布層
２０ａ  経糸
２０ｂ  緯糸
２１  フィルタ層
Ｆ２  布片（バイアス片）
３１  接合箇所
３２  接合箇所
３３  接合箇所
３４  接合箇所
３５  切断箇所
【図１】
0006436459.tif 000002
【図２】
0006436459.tif 000003
【図３】
0006436459.tif 000004
【図４】
0006436459.tif 000005
【図５】
0006436459.tif 000006
【図６】
0006436459.tif 000007
【図７】
0006436459.tif 000008
【図８】
0006436459.tif 000009
【図９】
0006436459.tif 000010
【図１０】
0006436459.tif 000011
【図１１】
0006436459.tif 000012
【図１２】
0006436459.tif 000013
【図１３】
0006436459.tif 000014